(57)【要約】      （修正有）【課題】ゴムでは円滑に拾集する事が出来ない多面体や柱状体、凹凸のある立体的な物体を拾集する事ができ、散乱した遊戯銃の球形弾丸やビーズ等の拾い難い物体の片付けを容易に行う。【解決手段】立体的な物体を拾い集める拾集機構を備えた容器１５において、容器の底面開口部を複数の線状体３で張り渡して、前記底面開口部は前記線状体３が拾い集める物体の最小径よりも狭い間隔に並行に配列して隙間を形成した拾集面であり、前記拾集面を成す前記線状体３が前記物体面に沿って撓り前記隙間が押し広げられ前記物体が前記容器１５内に進入すると前記線状体３が撓り戻る事で前記隙間が前記物体の最小径未満に戻り、前記物体を容器１５内に留める事を特徴とする拾集機構付き収納容器１５により解決するものである。【選択図】図１５
2011098745.tif 000002
【特許請求の範囲】
【請求項１】
立体的な物体を拾い集める拾集機構を備えた容器において、容器の底面開口部を複数の線状体で張り渡して、前記底面開口部は前記線状体が拾い集める物体の最小径よりも狭い間隔に並行に配列して隙間を形成した拾集面であり、前記拾集面を成す前記線状体が前記物体面に沿って撓り前記隙間が押し広げられ前記物体が前記容器内に進入すると前記線状体が撓り戻る事で前記隙間が前記物体の最小径未満に戻り、前記物体を容器内に留める事を特徴とする拾集機構付き収納容器。
【請求項２】
前記拾集機構付き収納容器は、内部が二室に別れ拾集した前記物体を一時留置する拾集室と安定的に収納する収納室とに別れ、両室間の境は拾集室から収納室に前記物体が移動するが、収納室から拾集室へは前記物体が移動できない戻阻止手段を備えたことを特徴とする請求項１に記載の拾集機構付き収納容器。
【請求項３】
前記戻阻止手段は、前記拾集室と前記収納室の境を構成する隔壁が、前記拾集室から前記収納室に向かい狭まる構成の通路であり、前記通路は前記拾集室から前記収納室への物体の移動を許容し、前記収納室内の前記物体の前記拾集室への移動を妨げる構造であることを特徴とする請求項１又は２に記載の拾集機構付き収納容器。
【請求項４】
前記拾集機構付き収納容器は、収納室側から見て通路出口の開口を除く拾集室側の面が、返しの形態をとるトラップ構造であり、一旦前記収納室に入った前記物体が前記拾集室へ戻る事を阻止する構成である事を特徴とする請求項１乃至３記載の拾集機構付き収納容器。
【請求項５】
前記拾集機構付き収納容器は、前記拾集面を構成する前記線状体のヤング率が０．１（ＧＰａ）より大きい値を有する素材から成ることを特徴とする請求項１乃至３に記載の拾集機構付き収納容器。
【請求項６】
前記拾集機構付き収納容器において、前記拾集面を成す前記線状体は、金属、或いは合成樹脂、或いは竹を含む木材で構成した棒状のもの又は、天然繊維、或いは化学繊維で構成した糸状、紐状のものである事を特徴とする請求項１乃至５に記載の拾集機構付き収納容器。
【請求項７】
前記拾集機構付き収納容器は、線状体及び収納容器が竹を素材として構成され、拾集した球体が当該容器を叩き、音を発することを特徴とする竹細工による拾集機構を備えた請求項１乃至５に記載の拾集機構付き収納容器。
【請求項８】
前記拾集機構付き収納容器は、拾集する前記物体がビーズ又は遊戯銃の弾丸である事を特徴とする請求項１乃至６記載の拾集機構付き収納容器。
【発明の詳細な説明】
【技術分野】
【０００１】
本発明は立体的な物体を拾い集める機構を備えた容器に関するものである。
【背景技術】
【０００２】
上記立体的な物体とは、球体や柱体及び多面体のことで、例えば遊戯銃の弾丸や手芸に用いられるビーズを指す。
【０００３】
遊戯銃の弾丸とは一般に合成樹脂素材で作られた「ＢＢ弾」と称する球形の弾丸で、大きさは直径６ミリと８ミリのものが生産され、重さが０．１〜０．３グラム程度のものである。
【０００４】
弾丸である「ＢＢ弾」は遊戯銃の糾弾装置に詰める時や銃より発射されるなどの取り扱いにおいて、床などにこぼれる事がある。素材がプラスチックであるＢＢ弾は落下により良く跳ね、球形である事から良く転がり散乱する。この散乱した寸法６ミリ程度のＢＢ弾は、拾い集めるには手間の掛かるものである。
【０００５】
手芸に用いられるビーズは金属や石等の天然素材やガラス、プラスチック等の合成樹脂素材を加工した寸法が１ミリに満たない物から、数ミリ程度の球体や柱体及び多面体などの立体的な物体である。この中でも特に１ミリに満たない小さなビーズがテーブルや床、特に絨毯の上にこぼれ落ち絨毯の目に埋れた場合など、小物体で有るが故に手指によって拾い集め、容器に収納する事は大変面倒であり手間の掛かる作業が必要である。
【０００６】
１ミリに満たないような小さなビーズは手指で摘み拾集する事が困難な場合、粘着テープを利用して貼り付ける事や、ビーズの穴にワイヤー又は針状の先端を通す事により拾集して、これを容器に移すというような方法が採られている。
【０００７】
上記容器は一般に、合成樹脂やガラス等からできたボトル状のものや広口瓶などである。容器の上方にある開口部から容器内へビーズやＢＢ弾は収納され、その後、開口部に蓋をする事で外部にこぼれない状態となる。
【０００８】
本発明は容器の上方にある開口部からＢＢ弾やビーズを入れるのでは無く、容器の下方に拾集機構を備えることで容器下部から容器内へ拾集して収納するものである。
【０００９】
本発明に類似したものでは特許文献１の実開昭５１−５３９６１号公報や特許文献２の登録実用新案第３００１２７７号公報、特許文献３の特開２００５−１５２５６８公報のような、ピンポン球やゴルフボール等の球技用のボールである球体を容器内に拾集するものが提案されている。
【００１０】
特許文献１の実開昭５１−５３９６１公報のピンポン球拾集用具や特許文献２の登録実用新案第３００１２７７号公報のピンポン玉回収器及び特許文献３の特開２００５−１５２５６８号公報の球形物拾い挙げ具などは、全ての考案において、弾性体であるゴムを線状にして容器底面の開口部にピンポン玉やゴルフボール等の球体の直径より狭い間隔に配列し設置して、これを球体に押し当てる事で、ゴムが球体の面に沿って伸びる性質を利用して前記球体を容器内に取り込むものが考案されている。以下本明細書では線状の物体が伸び縮みする動作を弾性変形と書く。
【００１１】
上記特許文献１乃至３の考案は全てが球体のみを対象としている事から、ゴムが弾性変形して伸びる事で拾集できるものである。しかしながら、球体以外の立方形状の物体、表面に細かい凹凸を有する物体を対象にした場合、線状のゴムを配列した間を通過させる方法では、ゴムの変形や弾力、摩擦により、物体面にゴムが引っ掛り押付ける事やゴムの縮む力により物体が挟まり通過し難い状態が生じる。
【００１２】
また、ゴムは他の物質に比べ「力を加えると変形する」「同じ荷重で、よく伸びる」という特性を有する。線状のゴムが拾集した物体の球体面に沿って弾性変形する事を前提として設置した場合、球体は容易にゴムを伸ばし通過するが、通過して容器内に入った球体は、通過してきたゴムの力により支えられ容器内に留置される事から、容器内に球体の数が増える事により球体の重さと、拾集する作業を繰り返す事で力が加わり、線状のゴムは伸びて変形を起こし、前記拾集した物体が容器底面の拾集部位から容器の外へこぼれ出る事が考えられる。
【００１３】
以上の事から、上記特許文献３の特開２００５−１５２５６８公報の球形物拾い挙げ具におけるゴルフボールの拾い挙げなどは球体の質量も大きいため、数多くを容器内に留置する事は難しい。特許文献１の実開昭５１−５３９６１広報のピンポン球拾集用具や特許文献２の登録実用新案第３００１２７７号公報のピンポン玉を回収する器具などの考案においても、ピンポン球を容器内に数多く安定的に留め置く事は難しい。線状のゴムを複数配列して強く張ると、ゴムの縮む力により設置部位に掛かる力が大きくなり容器の簡素化は難しい。
【００１４】
また本発明の目的の一つである手指により拾い集める事が面倒な寸法1ミリ程度のビーズを拾集の対象とした場合、ビーズの形には球形以外の立体的な形状が多数あるため、ビーズの面にゴムが引っ掛り寸法1ミリ程度のビーズは押し付けられ通過する事が難しい。またビーズが絨毯の目の中に入った場合、この様な状態のビーズを拾集するには絨毯を容器底面の拾集部位で擦りビーズを絨毯の目からかき出すという作業が必要である。絨毯を擦る事でゴムは絨毯の目の凹凸に引っ掛り変形し、拾集したビーズが逆に通過して容器外に流出する事が考えられる。
【００１５】
一方、ビーズの様に対象物が１ミリ程度である場合、線状のゴムを極細に張る必要がある。極力細くゴムを張るために、強く引っ張った状態で当該拾集容器に設置すると、強い張力が持続する事から、この状態でゴムを長時間放置すると劣化が生じやすい上、張力に負けない当該容器が必要となり容器の簡素化が難しい。
【００１６】
以上を鑑み、本発明では材料の分野においてゴムとは区別される糸や撚糸、及び、ピアノ線や竹籤などの弾性変形の少ない素材を糸状、紐状、棒状にして、これを線状体とする事で、この線状体を従来からあるＢＢ弾やビーズ等を収納する容器の底面に並行に配列して拾集部位を構成することで拾集面とする。
【先行技術文献】
【特許文献】
【００１７】
【特許文献１】実開昭５１−５３９６１号公報
【特許文献２】登録実用新案第３００１２７７号公報
【特許文献３】特開２００５−１５２５６８号公報
【発明の概要】
【発明が解決しようとする課題】
【００１８】
上記先行技術文献に共通であるゴムを容器の底面に張り渡し、この部分を押し当てる事でゴムの弾性変形により球体を通過させ拾集する考案においては、多面体や柱体などの立体的な物体を拾集の対象とすると、ゴムの変形や摩擦により拾集を円滑に行う事が出来ない。また拾集した物体は通過したゴムを張り渡した容器の底面で支えられるため、数多くの物体を容器内に安定的に留置する事が難しい。またＢＢ弾やビーズ等の小物体が散乱したものを、拾集し容器に収納する事は大変手間が掛かる等の課題がある。
【課題を解決するための手段】
【００１９】
上記課題を解決するために具体的には以下の手段により解決するものである。
【００２０】
（１）立体的な物体を拾い集める拾集機構を備えた容器において、容器の底面開口部を複数の線状体で張り渡して、前記底面開口部は前記線状体が拾い集める物体の最小径よりも狭い間隔に並行に配列して隙間を形成した拾集面であり、前記拾集面を成す前記線状体が前記物体面に沿って撓り前記隙間が押し広げられ前記物体が前記容器内に進入すると前記線状体が撓り戻る事で前記隙間が前記物体の最小径未満に戻り、前記物体を容器内に留める事を特徴とする拾集機構付き収納容器により解決するものである。
【００２１】
（２）前記拾集機構付き収納容器は、内部が二室に別れ拾集した前記物体を一時留置する拾集室と安定的に収納する収納室とに別れ、両室間の境は拾集室から収納室に前記物体が移動するが、収納室から拾集室へは前記物体が移動できない戻阻止手段を備えたことを特徴とする（１）に記載の拾集機構付き収納容器により解決するものである。
【００２２】
（３）前記戻阻止手段は、前記拾集室と前記収納室の境を構成する隔壁が、前記拾集室から前記収納室に向かい狭まる構成の通路であり、前記通路は前記拾集室から前記収納室への物体の移動を許容し、前記収納室内の前記物体の前記拾集室への移動を妨げる構造であることを特徴とする（１）又は（２）に記載の拾集機構付き収納容器により解決するものである。
【００２３】
（４）前記拾集機構付き収納容器は、収納室側から見て通路出口の開口を除く拾集室側の面が、返しの形態をとるトラップ構造であり、一旦前記収納室に入った前記物体が前記拾集室へ戻る事を阻止する構成である事を特徴とする（１）乃至（３）記載の拾集機構付き収納容器により解決するものである。
【００２４】
（５）前記拾集機構付き収納容器は、前記拾集面を構成する前記線状体のヤング率が０．１（ＧＰａ）より大きい値を有する素材から成ることを特徴とする（１）乃至（３）に記載の拾集機構付き収納容器。
【００２５】
（６）前記拾集機構付き収納容器において、前記拾集面を成す前記線状体は、金属、或いは合成樹脂、或いは竹を含む木材で構成した棒状のもの又は、天然繊維、或いは化学繊維で構成した糸状、紐状のものである事を特徴とする（１）乃至（５）に記載の拾集機構付き収納容器により解決するものである。
【００２６】
（７）前記拾集機構付き収納容器は、線状体及び収納容器が竹を素材として構成され、拾集した球体が当該容器を叩き、音を発することを特徴とする竹細工による拾集機構を備えた（１）乃至（５）に記載の拾集機構付き収納容器により解決するものである。
【００２７】
（８）前記拾集機構付き収納容器は、拾集する前記物体がビーズ又は遊戯銃の弾丸である事を特徴とする（１）乃至（６）に記載の拾集機構付き収納容器により解決するものである。
【発明の効果】
【００２８】
本発明は、線状にしたゴムの弾性変形を利用して球体のみを拾集の対象とするものでは無く、ゴムの様に伸縮する事の無い素材からできる糸状、紐状、棒状の例えば糸や撚糸、ピアノ線、竹籤等を線状体とする事で容器の底面に並行に配列し、線状体の撓りや容器の持つ弾性を利用する事で、ゴムでは円滑に拾集する事が出来ない多面体や柱状体、凹凸のある立体的な物体を拾集する事ができ、容器の内部を二室に分け、この二室の間に戻阻止手段であるトラップ構造を設ける事で、物体の拾集と収納を迅速かつ簡単に行える。これにより散乱した遊戯銃の球形弾丸やビーズ等の拾い難い物体の片付けが容易に出来るものである。
【図面の簡単な説明】
【００２９】
【図１】従来の容器の図
【図２】本発明の容器１１の図
【図３】容器１１の断面図
【図４】本発明の容器１２の断面図
【図５】容器１３の断面図
【図６】ＢＢ弾１Ａ拾集、収納の図
【図７】ＢＢ弾１Ａの拾集面４通過過程を示した図
【図８】ＢＢ弾１Ａと線状体３の関係の図
【図９】線状体３設置の図
【図１０】竹細工による拾集収納容器１４図
【図１１】物体１の径を表した図
【図１２】本発明の容器１５を表した図
【図１３】ビーズ１Ｂの拾集面４通過過程を示した図
【図１４】絨毯上のビーズ１Ｂの拾集を示した図
【図１５】ビーズ１Ｂの拾集から収納過程を表した図
【図１６】物体１Ｃと容器の図
【図１７】ゲーム解説の図
【発明を実施するための形態】
【００３０】
本発明において拾集する対象物を物体１とする。物体１には、遊戯銃の球形弾丸であるＢＢ弾１Ａや手芸に使用するビーズ１Ｂ、その他の物体１Ｃなどの球体や柱体及び多面体がある。これら、各々の物体１に対して夫々に最良と想われる容器が考えられる。以下、実施例により物体１の拾集と収納について説明する。
【実施例１】
【００３１】
実施例１において拾集する物体１をＢＢ弾１Ａとする。ＢＢ弾１Ａとは、遊戯銃に使用される球形の弾丸で主に合成樹脂製の直径６ミリと８ミリのものが流通している。重量は０．１２ｇ・０．２０ｇ・０．２５ｇ・０．３０ｇなどの種類がある。
【００３２】
このＢＢ弾１Ａを収納する容器は（図１）に表すような、円筒のボトル状の容器が一般的なものである。この容器は上方部が開口しており、この上方開口部Ｊを塞ぐ蓋２０を備える。この蓋２０にはＢＢ弾１Ａを少量ずつ容器外に出す事が出来る突出した取出し口２１が付いている。散乱したＢＢ弾１Ａを片付ける場合、容器の上方開口部Ｊから容器内に手指でＢＢ弾１Ａを摘み入れるなどして、その後、上方開口部Ｊに蓋２０をする事で収納と成る形式の物である。ＢＢ弾１Ａを収納する容器は形や大きさなどに違いは有るが、前記形式のもが専用の容器として流通している。
【００３３】
本発明における拾集機構を備える収納容器を（図２）以降で説明する。
【００３４】
（図２）に示したものは、直径約６センチ、高さ約１０センチ程度の円筒のボトル状の容器１１である。従来からある（図１）に示した容器の底面及び内部に加工を施すことで拾集機構を備えた収納容器１１としたものである。
【００３５】
（図２Ａ）に表したものは（図１）に示した従来からある容器の下部である底面を開口して底面開口部Ｋとしたものである。底面開口部Ｋの周囲の縁を底面開口枠２として、（図２Ｂ）に示すように、前記底面開口枠２に線状体３を並行に配列して張り渡して底面開口部Ｋを塞いだ面を（図２Ｃ）に示す拾集面４とした構成とする。
【００３６】
拾集面４は（図２Ｃ）に表すように、ＢＢ弾１Ａの直径６ミリよりも狭い間隔に線状体３を並行に配列して隙間Ｈを有する構成であり、当然ながら底面開口枠２の縁と一番外側の線状体３で形成されている隙間ＨもＢＢ弾１Ａの直径６ミリより狭い間隔に配置された構成である。
【００３７】
拾集面４はＢＢ弾１Ａを拾集する作業をする事で、床面や絨毯の面との間に空間の空かない平面状である事が好ましい。この構成で直径８ミリのＢＢ弾も拾集可能である。
【００３８】
（図３）により容器１１の内部の構成を説明する。
（図３Ａ）に表すものは、容器１１を側方から見た断面図である。容器１１の下方が（図２Ｂ）で説明した拾集面４である。拾集面４を通過したＢＢ弾１Ａ  を一時的に留置する拾集室６と、このＢＢ弾１Ａを移して安定的に収納する収納室７を備え、拾集室６と収納室７の境がロート状の隔壁９により仕切られ両室を分ける。
【００３９】
ロート状の隔壁９は（図３Ｂ）に表すように、円錐状の部位Ｐとストロー状の部位Ｑから成り、円錐状の部位Ｐの先端部１６はＢＢ弾が通過できる広さに穴が開き、拾集室６側の通路間口１７を広くし、ＢＢ弾１Ａの収納室７への移動を容易なものとし、収納室７側の通路出口１８を狭くする事で、収納室７に移動したＢＢ弾１Ａを通路出口１８から拾集室６への通過を難しくする様に、容器上部に向かい突出した形となる通路８である。
【００４０】
（図３Ｃ）に表すように、容器１１を傾ける事で拾集室に一時的に留置されたＢＢ弾１Ａが、通路間口１７より入り通路８を通り通路出口１８から収納室７へ移動するものである。収納室７内に移動したＢＢ弾１Ａは、（図３Ｄ）に表すように容器２を立てると収納室７内でロート状に構成された隔壁９と容器の壁５から出来る凹空間（谷間）Ｙに移動して収納室７の下方に溜まる。収納室７内上方部に通路出口１８が位置する事と、通路出口１８の開口を狭くする構成にする事で、収納室７からＢＢ弾１Ａが簡単に出ることの出来ないトラップ構造となる戻阻止手段である。
【００４１】
ＢＢ弾１Ａを拾集する収納容器の形態には上記の従来からある容器に加工を施した物の他にも最良と思われる形がある為、以下実施例２、３、４により説明する。
【実施例２】
【００４２】
（図４）に表したものは、長さ１２ｃｍ、幅６ｃｍ、高さ６ｃｍ程の直方体で、片手で把握できる程度の大きさにした容器１２である。
【００４３】
（図４Ａ）は直方体の容器１２を上方から見た断面図、（図４Ｂ）は容器１２を側方から見た断面図、（図４Ｃ、Ｄ）は下方から見たところである。
【００４４】
（図４Ｄ）に示すように、容器１２の下方の低面に底面開口部Ｋを有し、底面開口部Ｋの周囲の縁を底面開口枠２として、（図１Ｃ）に示すように底面開口枠２に線状体３を並行に配列して張り渡して底面開口部Ｋを塞いだ面を拾集面４とする。
【００４５】
拾集面４はＢＢ弾１Ａの直径６ミリよりも狭い間隔に線状体３を並行に配列したもので、当然ながら、底面開口枠２と一番外側の線状体３で形成されている隙間ＨもＢＢ弾１Ａの直径６ミリより狭い間隔に配置された構成である。
【００４６】
（図４Ｂ）に表したように、容器１２は拾集作業により拾集面４を通過して容器１２内に進入したＢＢ弾１Ａを一時的に留置する拾集室６と、ＢＢ弾１Ａを移して収納する収納室７を備え、拾集室６と収納室７の境が通路８となる。この通路８は拾集室７内に移動したＢＢ弾８Ａが拾集室６に戻らない構成の戻阻止手段と成るものである。
【００４７】
上記戻阻止手段は（図４Ａ）に表すように、拾集室６と収納室７の境が隔壁９により仕切られ、この仕切られた空間を拾集室６から収納室７に向かいＢＢ弾１Ａが移動する通路８である。前記通路８は拾集室６内で容器の上方部に向かっている。容器の上方部で拾集室６側の開口を広くした通路間口１７と、収納室７側の通路出口１８の方向を狭くして八の字の形に構成したものである。
【００４８】
尚、前記通路８はＢＢ弾１Ａが通過するため、ＢＢ弾の直径よりも空間を大きく開け、通路出口１８の広さもＢＢ弾が通過できる広さを有した物である。
【００４９】
ＢＢ弾１Ａは（図４Ａ）に示すように、広く開けた通路間口１７から八の字に構成された通路８を移動して狭まった通路出口１８を通過すると（図４Ｂ）に表すように、収納室７の下方部へと落ち収納室７内の下部に溜まる。通路出口１８は開口も狭く収納室７内の上方に位置する事から、容器が傾いても収納室７内のＢＢ弾１Ａが拾集室６へ戻る事は極めて少ない事でトラップ構造となるものである。
【００５０】
また、戻阻止手段には拾集室６と収納室７の境に弁１０を設置する構成もあり、其の仕様例を容器１３として（図５）で説明する。（図５）に示したものは、拾集室６と収納室７を上下に分け弁１０を備えた容器１３を側方からみた断面図である。
【００５１】
（図５Ａ）に表すように、拾集室６と収納室７を仕切る隔壁９は、拾集室６から収納室７に向かい容器の上方部に位置するように通路８を構成する。通路出口１８に収納室７方向にのみ開く可動式の弁１０を設置することで、（図５Ｂ）に表すように、ＢＢ弾１Ａが拾集室６から収納室７へ移動する時は、収納室７方向に弁１０が開きＢＢ弾１Ａは通過するが、（図５Ｃ）に表すように、収納室７に移動したＢＢ弾１Ａが拾集室６の方向に移動する様な容器の傾きが起きても、弁１０は拾集室６方向へ開かないトラップ構造とすることで、戻阻止手段となる。
【００５２】
尚、（図５Ｃ）に表すように、底面開口枠２の外側の部位にゴムや毛状の柔らかな材質による掃出し部１９を設置する事で部屋の隅やソファーの窪み等に散乱しているＢＢ弾１Ａを拾集し易い場所に掃出す事ができ便利である。また収納室７の壁５にはＢＢ弾１Ａの取出し口２１を設ける。
【００５３】
容器１１乃至１３はＢＢ弾１Ａが外部にこぼれない壁５で囲まれ、材質は拾集面４を構成するために底面開口枠２に線状体３を設置するために溝Ｕや穴Ｖを開けるなどの加工ができる事と、ＢＢ弾１Ａを拾集する作業を繰り返し行うことで極度の変形や破損しない強度があれば、スチール、アルミ、セラミック、プラスチック、木枠など様々の素材が使用できる。
【００５４】
上記容器１１乃至１３の構成で、５００発から約１０００発のＢＢ弾１Ａを拾集し安定的に収納する事がでるため携行、保管が容易に出来るものである。
【００５５】
（図６）に表したものは、ＢＢ弾１Ａの拾集から収納までの一連の作業過程を表したものである。（図６Ａ）の様に、ＢＢ弾１Ａに拾集面４を押し当てると、（図６Ｂ）の様に、ＢＢ弾１Ａは線状体３を押し広げ拾集室６に進入し、一時的に留置された事となる。これを（図６Ｃ）に表す様に、容器を傾けた状態から（図６Ｄ）に表すように、Ｄ１からＤ２の様に手首を返す動作により拾集室６にあるＢＢ弾１Ａは、通路８を通過して収納室７へと移動して収納される。この時に拾集室６と収納室７との境が（図４、５）に示したトラップ構造で有る事で、拾集と収納が容易にできる。
【００５６】
（図７）に表したものは、球体であるＢＢ弾１Ａが拾集面４を通過して容器１１乃至１３内に進入する過程を表したものである。（図７Ａ）に表すように、拾集面４をＢＢ弾１Ａに押し当てると、線状体３の下方にあるＢＢ弾１Ａは（図７Ｂ）に表すように線状体３を球形面に沿って撓らせ、ＢＢ弾１Ａの半径の所まで隙間Ｈを押し広げ、半径を超えた所から開いた線状体３は撓り戻り、（図７Ｃ）に表すように隙間ＨはＢＢ弾１Ａの直径未満に原状回復する事でＢＢ弾１Ａの進入経路を塞ぐ。これによりＢＢ弾１Ａは容器１１乃至１３内に移動し拾集された事と成る。
【００５７】
（図８）に表したものはＢＢ弾１Ａと線状体３の係わり合いである。拾集面４をＢＢ弾１Ａに押し当てた際に拾集面４が、床面に接してＢＢ弾１Ａと線状体３が並んだ時の断面を示している。（図８Ａ）に表すようにＢＢ弾１Ａと線状体３が並んだ際にＢＢ弾１Ａの直径より線状体３が太い場合、上方に向く球体の面が下方に向く線状体の曲面に押され線状体３の上方へは移動できない。（図８Ｂ）に表すように、ＢＢ弾１Ａと線状体３の直径が同じ場合でも通過は難しい。
【００５８】
（図８Ｃ）に表すようにＢＢ弾１Ａと線状体３が並んだ時に、線状体３の半径をＢＢ弾１Ａの半径が越えるとＢＢ弾１Ａは線状体３の下方から上方へ移動する。したがってＢＢ弾１Ａの直径よりも小さな径の線状体３を使用する事が好ましい。また底面開口枠２に設置する線状体３の位置はＢＢ弾１Ａに拾集面４を押し付けた場合に、ＢＢ弾１Ａの半径の高さを線状体の半径が越す位置に設置することが好ましい。
【００５９】
以上の事を踏まえて実施例１乃至３で使用する線状体３は、例として釣り糸であるテグスを使用する。テグスはナイロンやポリエチレン、フロロカーボンなどの化学繊維でできた糸で、日本では太さが号数で表記され、号数が大きいほど太くなる。社団法人日本釣用品工業会の標準規格によると０．１号が標準直径０．０５３ミリで、１００号でも標準直径１．６６０ミリ程度である事から、テグスを線状体３に使用すると、かなりの範囲の号数のテグスが使用可能である。線状体３の太さの選定にあたっては、強度、耐久性などを考慮して選定する事が好ましい。ＢＢ弾１Ａの拾集には、１号（標準直径０．１６５ミリ）から３号（標準直径０．２８５ミリ）程度のテグスで十分である。
【００６０】
線状体３の材質は、拾集を対象とする物体１の種類により、拾集作業により起こる摩擦などを考慮して選定される。耐久性にすぐれたナイロン、ポリエチレン、フロロカーボン等の化学繊維素材からできる糸や紐などの糸状、紐状のものや拾集の対象とする物体１の種類により、竹籤（タケヒゴ）やピアノ線のように棒状と成る物も使用でき、合成樹脂素材を棒状にして使用する事もできる。
【００６１】
従って、本発明に使用する線状体３は前述した先行技術文献の全てに表現されている「弾性体であるゴム」のように外力を受け弾性変形を起こし伸びる素材では無く、剛体に近い素材からできる線状体３を使用する事で、外力により撓り、速やかに現状に戻る素材を使用するものである。
【００６２】
上記伸び変形を弾性変形による伸び率と考え、これをヤング率によって表すと、ゴムのヤング率は０．００１５〜０．１（ＧＰａ）であるのに対し、低密度ポリエチレンは０．２（Ｇｐａ）、鉄鋼は２０１〜２１６（Ｇｐａ）である。(出典：Ｗｉｋｉｐｅｄｉａ（<http://www.wiki.com>）)
上記のようにゴムのヤング率は、本発明で用いる素材のうちもっともヤング率が小さい低密度ポリエチレンの値に比べても半分程度であり、殊更に弾性変形が起こりやすい素材であることがわかる。
【００６３】
拾集面４を構成する線状体３は、繰返しの拾集作業により床等の落下面と底面開口枠２との間に挟まれ、擦れ磨耗する事や拾集作業によりズレる事で隙間Ｈの間隔が変わる事が考えられる。したがって（図９）に示すように、底面開口枠２を加工して線状体３を設置する事が好ましい。（図９Ａ）に表すように、底面開口枠２に溝Ｕを付けこの溝Ｕに線状体３を設置する事で、拾集面４を床に押し当てる事や、絨毯などに擦る等の拾集作業により線状体３がズレない構成にすることが好ましい。
【００６４】
上記、溝Ｕは（図９Ｂ）に表したように線状体３の太さに対して溝の幅を大きくして、溝Ｕの中心に線状体３を張る力が加わるように設置すると、物体１の線状体通過により溝Ｕの面を線状体３が移動して、通過後中心に戻るため線状体３間の隙間Ｈが広がりやすくなる効果も得られる。
【００６５】
（図９Ｃ）に表すように底面開口枠２に穴Ｖを開け線状体３を通す設置方法もあるが、（図８）により詳述した様に、直径６ミリのＢＢ弾１Ａの場合、半径３ミリを線状体３が越えないとＢＢ弾１Ａは通過しないため、拾集面４を床などに押し当てた際に線状体３と床との空間が３ミリ以上空かない事が好ましく、穴Ｖを開ける位置は底面開口枠２の表層から２ミリ以内とする。
【００６６】
また上記、底面開口枠２の線状体３を設置する部位を柔らかな部材にする事で、物体１の拾集面４通過により線状体３に掛かる力により底面開口枠２が歪み、物体１の通過時に隙間Ｈが広がり易く通過し易くなる。この時、底面開口枠２は歪んでも即座に現状復帰する部材とする。
【実施例３】
【００６７】
（図１０）により、ＢＢ弾１Ａを拾集の対象として、竹細工による拾集収納容器１４を説明する。本拾集収納容器１４は（図１０Ａ）に表すように、竹の節から節の長さが１５センチ程度で、外径７〜８センチ程度のものを半分に割ったものである。
【００６８】
（図１０Ｂ）に表すように、半分に割った事で出来る底面開口部Ｋに、竹籤（タケヒゴ）を線状体３として使用して（図１０Ｃ）に表すように、底面開口部Ｋに線状体３を配列して拾集面４を構成する。竹の収納容器１４の壁５にはＢＢ弾１Ａの取出し口２１を設けた構成とする。
【００６９】
（図１０Ｄ）に示すように、線状体３となる竹籤は直径２ミリ程度の棒状に加工したものである。この竹籤を底面開口枠２に１〜２ミリ程の溝Ｕを設けて、線状体３と線状体３の隙間ＨがＢＢ弾１Ａの直径６ミリより僅かに狭い間隔に並行に配列し拾集面４を構成する。
【００７０】
又は（図１０Ｅ）に表すように、底面開口枠２に穴Ｖを開け、竹籤を通す方法もあるが、この場合竹籤はテグスに比べ遥かに太いため、直径６ミリのＢＢ弾１Ａに対して竹籤の直径２ミリとした場合を（図８Ｃ）を参照にして説明すると、竹籤の半径である１ミリの部分がＢＢ弾１Ａの半径３ミリの部分を通り越さなければ球体であるＢＢ弾１Ａは線状体３間の隙間を通過出来ないため、竹籤の太さを考慮して、穴Ｖの設置位置を決める事が好ましい。また竹籤を底面開口枠２に設置する場合、張り渡した竹籤の一端のみを固定する方法や穴Ｖに通した場合などは両端ともに固定しない方法がある。この方法によりＢＢ弾１Ａが隙間Ｈを通過する際に竹籤は撓り易く成る。
【００７１】
本容器１４は、拾集面４をＢＢ弾１Ａに押し当てる事で、球体の面に沿って竹籤は撓り隙間Ｈは広がり、直径６ミリのＢＢ弾１Ａであれば、その中心である３ミリを過ぎると球対面により押し広げられた竹籤は撓り戻る。この時にＢＢ弾１Ａは竹籤の撓り戻る力で容器１４内部に跳ね上げられ、内部の壁に当たる事で竹を叩く音が響く、この音を楽しむ事を特徴とする竹細工による拾集収納容器である。
【００７２】
ＢＢ弾１Ａは球形であるため散乱した場合、方々に散り拾集が大変面倒なものとなり放置され、再使用可能な物も使い捨てにされる場合がある。小さな物ではあるが使えるなら拾い集めて再使用、再利用する事が好ましい。
【実施例４】
【００７３】
実施例４においては拾集の対称とする物体１を手芸で使用されるビーズ１Ｂとする。ビーズ１Ｂは様々な形をした立体的な形状の物で、その寸法が１ミリに満たない物から数ミリ程度の小さな物体である。小物体であるため複雑に加工された物は少ないが、ＢＢ弾１Ａの様に球体だけに限らない様々な立体形状がある。
【００７４】
上記実施例１乃至３における拾集の対象であるＢＢ弾１Ａは球体であり、その寸法を表す用語は「直径」である。しかし、ビーズ１Ｂは様々な形をした多面体であるため、その寸法を表す用語には、例えば楕円形のものは長径、短径という用語を使い、円筒形のものは、長さと、内径、外径という用語を使うなど、物体の形によりその大きさを表す用語が夫々にある。またビーズ１Ｂの形には多面体や流線形に加工された物などが有り、これらの寸法を説明する事が極めて複雑であるため、物体の寸法を（図１１）を用いて定義する。
【００７５】
（図１１）に示すものは、ノギスを使用して測定する事で、色々な形のビーズ１Ｂの外面が平行に接する２直線又は２平面の間に挟まれている状態を表している。
【００７６】
（図１１Ａ）において、球形のものを測定すると、球体はその中心を通り、両端点が球面上にある線分の長さが径である事から、ノギスに挟まれた差し渡しの長さが直径である。球形のものは、あらゆる方向から測定しても径は同じであることからこの直径が最小径Ｓとなる。
【００７７】
このノギスによる測定方法を用いて、（図１１Ｂ）に表すように、略楕円形のものをノギスで挟み対面の距離を測定すると、（図１１Ｃ）に表すように、ノギスに挟まれた一番短い所を最小径Ｓ、（図１１Ｄ）に表すように、一番長い所を最大径Ｌとする。
【００７８】
（図１１Ｅ）に表すような円筒形のものを測定した場合（図１１Ｆ）に表すように、短い所を最小径Ｓとして（図１１Ｇ）に表すように、一番長い所を最大径Ｌとする。（図１１Ｈ）に表すような雫の様な形のものも、あらゆる方向からノギスに挟み測定する事で（図１１Ｉ）に表すように、差し渡しの長さが一番短い所を最小径Ｓとして、（図１１Ｊ）に表すように、一番長い所を最大径Ｌとする。その他、（図１１Ｋ）に表すような星型や（図１１Ｌ）の様な多面体などもノギスで挟み測定する事で、差し渡しの長さの一番短い所を最小径Ｓとし、長い所を最大径Ｌと定義する事により説明する。
【００７９】
（図１２）は、寸法1ミリ程度のビーズ１Ｂを拾集、収納する容器１５を表したものである。対称物が小さいため、容器１５も小さな物で良く、外径２ｃｍから３ｃｍ程度で高さ７ｃｍ前後の円筒状の物を例として説明する。
【００８０】
（図１２Ａ）に表したものは、円筒状の容器１５を示している。下方底面を拾集面４とした物でこの容器１５の内部を下方から１〜２ｃｍ程度の空間を拾集室６とする。その上部の空間を収納室７として、拾集室６と収納室７の境をロート状の隔壁９で仕切り、ビーズ１Ｂが通過する内径を有する通路８とする。容器１５の上部には（図１２Ｂ）に表した様に、可動式の蓋２０を備えたビーズ１Ｂの取出し口２１を設けた構成である。
【００８１】
（図１２Ｃ）に表したものは、ビーズ１Ｂを拾集する拾集面４である。例えば最小径Ｓが１ミリ程度のビーズ１Ｂを拾集する場合。線状体３は釣りで使用するテグスの０．６号（標準直径０．１２８ミリ程度）を使用して、ビーズ１Ｂ最小径Ｓよりも狭い間隔に隙間Ｈが０．３〜０．８ミリ程度となるように並行に配列して実施例１で詳述したように拾集面４を構成する。
【００８２】
（図１３）において、色々な形のビーズ１Ｂが線状体３を撓らせ線状体３間の隙間Ｈを押し広げ、拾集となる過程を説明する。（図１３Ａ）に表すように、正二十面体の様な球体に近い形状のビーズ１Ｂはビーズ１Ｂを下方に置き上方から拾集面４を成す線状体３を押し当てる事で、下方にあるビーズ１Ｂは、（図１３Ｂ）のように隙間Ｈの間を通過して、（図１３Ｃ）に表すように線状体３の上方へと移動する事で拾集と成る。
【００８３】
星型のビーズ１Ｂは（図１３Ｄ）の様に上方から拾集面４を成す線状体３を押し当てながら（図１３Ｅ）に表すように、拾集面４をスライドさせる事で、突出した部分に線状体が引っかかる事無く容易に隙間Ｈの間を通過して（図１３Ｆ）の様に拾集と成る。
【００８４】
（図１３Ｇ）に示すようなサイコロ状のビーズ１Ｂ等は、その一辺もしくは角が線状体３間の隙間Ｈに入る角度から押し当てる事で（図１３Ｈ）の様に、通過して（図１３Ｉ）の様に拾集となる。
【００８５】
（図１３Ｊ）に示した様な円筒形や楕円形等の様に最小径Ｓと最大径Ｌの長さが明らかに違うビーズ１Ｂは、拾集面４を成す線状体３の配列向きをビーズ１Ｂの最大径Ｌ方向に向け拾集面４をビーズ１Ｂの面に押し当てながら、拾集面４をスライドさせる事で線状体３によりビーズ１Ｂを転がす様な動作を加える事で（図１３Ｋ）に表すように、線状体３の隙間Ｈの間をビーズ１Ｂが通過して、（図１３Ｌ）に表すように拾集となる。
【００８６】
本発明の目的の一つである手指により拾集し難い直径が１ミリ程度のビーズ１Ｂの場合、非常に小さな物体である事から、複雑な形に加工されたものは少なく、その多くが円形か円形に近い多面体や円筒形状の粒状物である事で拾集は容易である。
【００８７】
一般に販売されているビーズ１Ｂは小さな透明な袋に入った物が多く、購入後容器に移す時や工作作業による取り扱いにより、テーブルや床にこぼれる事が考えられる。この様にこぼれ散乱したビーズ１Ｂは寸法が小さいため、手指により拾い集めて袋や容器に戻すためには大変面倒な作業が必要となる。特に絨毯等の上にこぼれた寸法１ミリ程度のビーズ１Ｂは絨毯の目に埋もれて拾い難いため、従来は粘着テープなどに貼り付けて拾い集めたり、ビーズ１Ｂの穴に針状の先端を刺して拾い上げたり、ピンセットなどで挟み拾集するなどの手段が採られている。
【００８８】
（図１４）に示したものは、本発明の拾集機構を備えた収納容器１５で絨毯の目Ｍのなかに入ったビーズ１Ｂを拾集する過程である。（図１４Ａ）に表したように、絨毯の目Ｍの中にあるビーズ１Ｂに、（図１４Ｂ）の様に、上方から拾集面４を押し当てる事で、（図１４Ｃ）に表す様に、底面開口枠２と線状体３が柔らかい絨毯のめを押し倒すと硬いビーズ１Ｂは線状体３に接触する事と成る。こ時に、（図１４Ｃ）から（図１４Ｄ）そして（図１４Ｅ）に表すように、拾集面４で擦る様な作業を繰り返す事で、ビーズ１Ｂは線状体３により絨毯の目Ｍからかき出され、線状体３間の隙間Ｈの間を通過して（図１４Ｅ）に表すように、容器１５内に拾集される。
【００８９】
（図１５）においてはビーズ１Ｂの拾集から収納までの過程を示す。（図１５Ａ）に表すように、散らばったビーズ１Ｂの上方から容器１５の拾集面４を押し当てる事で（図１５Ｂ）に表すように、線状体３間の隙間Ｈをビーズ１Ｂは通過して拾集室６へ入る。（図１５Ｃ）に表すように、容器１５を傾けるとビーズ１Ｂは通路８を通り、収納室７に移動する。その後（図１５Ｄ）のように容器１５を立てると、隔壁９と容器の壁５から出来る凹空間（谷間）Ｙに移動して収納室７の下方に溜まる事で、実施例１で述べたトラップ構造となる戻阻止手段により、安定的に収納されるものである。
【００９０】
上述したように、絨毯の目の間から掻きだす作業や、色々な形の特に傾斜角の少ないビーズ１Ｂ等を拾集する事は、ゴムを使用した場合その弾性変形や摩擦などスムーズに拾集する事は困難である。したがって線状体３はテグスなどの糸状のものが好ましく、小さな物体が対象である事から棒状の線状体３は不向きである。
【実施例５】
【００９１】
実施例５は、上記実施例で述べた本発明における拾集機構付き収納容器を応用したゲームである。
【００９２】
前記ゲームは拾集の対象を、その他の物体１Ｃとする。その他の物体１Ｃとは偽モグラ１Ｃ´である。前記偽モグラ１Ｃ´をハンマー型に形成した拾集機構付き収納容器により捕獲するゲームである。以下（図１６）によりゲームについて説明する。
【００９３】
（図１６Ａ）に示したものは、偽モグラ１Ｃ´を前後、左右、上下から見たものを表している。その構成は略楕円体に形成された寸法が１〜２ｃｍ程度の中空構造の合成樹脂素材によりできたものである。
【００９４】
（図１６Ｂ）に表したものは、前記偽モグラ１Ｃ´を叩くためにハンマー型に構成した拾集機構付き収納容器１６である。その構成は外径５〜７センチ長さ１２センチ程度の円筒状の容器に子供が手で持てる柄Ｒを付けたもので、安全性を考慮してビニール素材から成る柔らかな外面を有したものである。偽モグラ１Ｃ´を叩く容器下方を拾集面４として、容器の上方が取出し口２１となり可動式の蓋２０を備えた構成である。
【００９５】
（図１６Ｃ）により前記拾集面４を説明する。拾集面４は底面開口枠２に線状体３を縦と横に張り渡し格子状に配列したものである。縦に張る線状体３は線状体３間の隙間Ｈが偽モグラ１Ｃ´の最小径より狭くなるように設置する。
横に張る線状体３間の隙間Ｈは最大径より狭い間隔に配列して格子状に構成したものである。
【００９６】
拾集面４を構成する線状体３はテグス１０号（標準直径０，５２０ミリ）の物を使用する。線状体３の素材は、偽モグラ１Ｃ´を叩く事による耐久性を考慮して選定する事が好ましい。
【００９７】
（図１７）により、上記(図１６)に示したものを用いたゲームについて説明する。（図１７Ａ）に表すように、卓上や床上に偽モグラ１Ｃ´を散らばして置く。（図１７Ｂ）に表すように、前記ハンマー型の拾集機構付き収納容器１６の拾集面４で偽モグラ１Ｃ´に狙いを定める。（図１７Ｃ）に表すように、卓上に置いた偽モグラ１Ｃ´を叩く事で、拾集面４を偽モグラ１Ｃ´が通過する事で、（図１７Ｄ）に表すように、前記ハンマー型の拾集機構付き収納容器１６の中に偽モグラ１Ｃ´を捕獲するモグラ叩き捕獲ゲームである。
【００９８】
この時、偽モグラ１Ｃ´の寸法を夫々変える事で、大きい偽モグラ１Ｃ´は格子状に設置された線状体３の抵抗により通過出来ない確立が上がる。このため確実に縦、横に張られた線状体３間の隙間Ｈでジャストミートしなければ取り逃がす事となる。これにより捕り逃がした偽モグラ１Ｃ´を捕り合う事を競うゲームとなる。ゲームとしては素直に拾集面４を通過出来ない方が好ましいといえる。
【符号の説明】
【００９９】
１  物体、１Ａ，１Ｂ，１Ｃ，  物体、２  底面開口枠、３  線状体、４  拾集面、５  壁、６  拾集室、７  収納室、８  通路、９  隔壁、１０  弁、１１  拾集機構付き収納容器、１２  拾集機構付き収納容器、１３  拾集機構付き収納容器、１４  拾集機構付き収納容器、１５拾集機構付き収納容器、１６  先端部、１７  通路間口、１８  通路出口、１９  掃出し部、２０  蓋、２１  取出し口。
【図１】
2011098745.tif 000003
【図２】
2011098745.tif 000004
【図３】
2011098745.tif 000005
【図４】
2011098745.tif 000006
【図５】
2011098745.tif 000007
【図６】
2011098745.tif 000008
【図７】
2011098745.tif 000009
【図８】
2011098745.tif 000010
【図９】
2011098745.tif 000011
【図１０】
2011098745.tif 000012
【図１１】
2011098745.tif 000013
【図１２】
2011098745.tif 000014
【図１３】
2011098745.tif 000015
【図１４】
2011098745.tif 000016
【図１５】
2011098745.tif 000017
【図１６】
2011098745.tif 000018
【図１７】
2011098745.tif 000019